(57)【要約】【課題】休止期間中に揮散性薬剤が自然に気中に放出することを防止できると共に、コストが安く、簡単な操作で使用状態、休止状態にできる送風式薬剤放散装置とする。【解決手段】送風機２を駆動することで装置本体１の容器支持部５に空気が流通するようにし、表面３ａに第１通気部６、裏面３ｂに第２通気部７を有し揮散性薬剤４を収納した薬剤収納容器３を、前記容器支持部５に周方向に回転した第１位置、第２位置に支持できるようにし、第１位置で支持した使用状態の時には送風機２を駆動することで第１通気部６と第２通気部７に空気が流通し、第２の位置で支持した休止状態の時には第１・第２通気部６，７が閉塞されるようにした送風式薬剤放散装置。【選択図】        図１
2004313637.tif 000002
【特許請求の範囲】
【請求項１】
容器支持部５を有する装置本体１と、この装置本体１に設けた送風機２と、前記容器支持部５に支持される薬剤収納容器３と、この薬剤収納容器３内に収納した揮散性薬剤４を備え、
前記送風機２を駆動することで容器支持部５に空気が流通し、
前記薬剤収納容器３は、表面３ａに第１通気部６、裏面３ｂに第２通気部７を有し、第１位置と第２位置で前記容器支持部５に支持され、
前記薬剤収納容器３を第１位置で支持した場合には第１通気部６と第２通気部７に空気が流通可能で、第２位置で支持した場合には第１通気部６、第２通気部７が容器支持部５でそれぞれ閉塞されるようにしたことを特徴とする送風式薬剤放散装置。
【請求項２】
第１通気部６の開口面積は表面３ａの面積のほぼ半分で、第２通気部７の開口面積は裏面３ｂの面積のほぼ半分である請求項１記載の送風式薬剤放散装置。
【請求項３】
容器支持部５に薬剤収納容器３が第１位置と第２位置に回転可能に支持されている請求項１又は２記載の送風式薬剤放散装置。
【請求項４】
容器支持部５の一側面５ａ、他側面５ｂは薬剤収納容器３の表面３ａ、裏面３ｂよりも大きく、
前記一側面５ａ、他側面５ｂには第１開口４１、第２開口４２が周方向に間隔を置いてそれぞれ複数形成され、
前記薬剤収納容器３の表面３ａ、裏面３ｂには、第３開口４３、第４開口４４が周方向に間隔を置いてそれぞれ複数形成され、その複数の第３開口４３で第１通気部６を形成し、複数の第４開口４４で第２通気部７を形成し、
送風機２を駆動することで第１開口４１と第２開口４２に空気が流通し、
前記薬剤収納容器３が第１位置の時には、第１開口４１と第３開口４３、第２開口４２と第２開口４４がそれぞれ連通し、
前記薬剤収納容器３が第２位置の時には、第３開口４３、第４開口４４が容器支持部５でそれぞれ閉塞される請求項３記載の送風式薬剤放散装置。
【請求項５】
容器支持部５に薬剤収納容器３が第１位置と第２位置にスライド可能に支持されている請求項１又は２記載の送風式薬剤放散装置。
【発明の詳細な説明】
【０００１】
【発明の属する技術分野】
本発明は、送風機を用いて揮散性薬剤を気中に放出する送風式薬剤放散装置に関し、さらに詳しくは、一度使用した後に使用を中止した休止時に揮散性薬剤が自然に気中に放出することを防止できる送風式薬剤放散装置に関する。
【０００２】
【従来の技術】
特許文献１に、吸い込み口と吐き出し口を有する装置本体と、この装置本体内に設けた送風機と、揮散性薬剤を備え、送風機を駆動することで揮散性薬剤に送風して揮散性薬剤を吐き出し口から気中に放出する送風式薬剤放散装置が開示されている。
【０００３】
特許文献２に、装置本体の空気吸入窓、空気排出窓に蓋を、それぞれ開閉自在に設けた送風式の薬剤放散装置が開示されている。
【０００４】
【特許文献１】
特開平６−３４３６８１号公報
【特許文献２】
実用新案登録第３０２７９２８号公報
【０００５】
【発明が解決しようとする課題】
特許文献１に開示された送風式薬剤放散装置は、揮散性薬剤を装置本体にセットし、送風機を駆動して使用している際に、送風機を停止して使用を中止した休止時には揮散性薬剤が吸い込み口、吐き出し口から気中に連通するので、揮散性薬剤が自然に気中に放出されることを防止できない。
このために、休止期間中に揮散性薬剤が順次気中に放出されて減少し、無駄である。
【０００６】
前述のことを解消するには、特許文献２に開示されたように、装置本体の吸い込み口と吐き出し口に蓋を設け、使用時には蓋を開放して空気が装置本体内に流通する使用状態とし、休止時には蓋を閉塞して空気が装置本体内に流通しない休止状態とすることが考えられる。
【０００７】
しかし、前述のようにすると、蓋を設けなければならず、部品点数が多くコストが高くなる。
また、吸い込み口と吐出き口に設けた２つの蓋を開閉操作して使用状態と休止状態とするので、その操作が面倒である。
【０００８】
本発明は、前述の課題に鑑みなされたものであって、その目的は、休止期間中に揮散性薬剤が気中に自然に放出されることを防止できると共に、コストが安く、簡単な操作で使用状態、休止状態にできる送風式薬剤放散装置を提供することである。
【０００９】
【課題を解決するための手段】
第１の発明は、容器支持部５を有する装置本体１と、この装置本体１に設けた送風機２と、前記容器支持部５に支持される薬剤収納容器３と、この薬剤収納容器３内に収納した揮散性薬剤４を備え、
前記送風機２を駆動することで容器支持部５に空気が流通し、
前記薬剤収納容器３は、表面３ａに第１通気部６、裏面３ｂに第２通気部７を有し、第１位置と第２位置で前記容器支持部５に支持され、
前記薬剤収納容器３を第１位置で支持した場合には第１通気部６と第２通気部７に空気が流通可能で、第２位置で支持した場合には第１通気部６、第２通気部７が容器支持部５でそれぞれ閉塞されるようにしたことを特徴とする送風式薬剤放散装置である。
【００１０】
第２の発明は、第１の発明において第１通気部６の開口面積は表面３ａの面積のほぼ半分で、第２通気部７の開口面積は裏面３ｂの面積のほぼ半分である送風式薬剤放散装置である。
【００１１】
第３の発明は、第１又は第２の発明において容器支持部５に薬剤収納容器３が第１位置と第２位置に回転可能に支持されている送風式薬剤放散装置である。
【００１２】
第４の発明は、第３の発明において容器支持部５の一側面５ａ、他側面５ｂは薬剤収納容器３の表面３ａ、裏面３ｂよりも大きく、
前記一側面５ａ、他側面５ｂには第１開口４１、第２開口４２が周方向に間隔を置いてそれぞれ複数形成され、
前記薬剤収納容器３の表面３ａ、裏面３ｂには、第３開口４３、第４開口４４が周方向に間隔を置いてそれぞれ複数形成され、その複数の第３開口４３で第１通気部６を形成し、複数の第４開口４４で第２通気部７を形成し、
送風機２を駆動することで第１開口４１と第２開口４２に空気が流通し、
前記薬剤収納容器３が第１位置の時には、第１開口４１と第３開口４３、第２開口４２と第２開口４４がそれぞれ連通し、
前記薬剤収納容器３が第２位置の時には、第３開口４３、第４開口４４が容器支持部５でそれぞれ閉塞される送風式薬剤放散装置である。
【００１３】
第５の発明は、第１又は第２の発明において、容器支持部５に薬剤収納容器３が第１位置と第２位置にスライド可能に支持されている送風式薬剤放散装置である。
【００１４】
【作  用】
第１の発明によれば、薬剤収納容器３を第１位置で支持すると共に、送風機２を駆動することで、薬剤収納容器３内部に空気が流通するから、揮散性薬剤４を気中に放散できる。
また、薬剤収納容器３を第２位置で支持すると、その第１・第２通気部６，７が閉塞されるので、休止期間中に揮散性薬剤４が気中に自然に放出されることを防止できる。
【００１５】
また、薬剤収納容器３を第１位置と第２位置に支持すれば良く、他の部材を設ける必要がないから、コストの安い送風式薬剤放散装置であると共に、簡単な操作で使用状態、休止状態にできる。
【００１６】
第２の発明によれば、薬剤収納容器３の第１通気部６、第２通気部７の開口面積が大きく、その薬剤収納容器３内部にスムーズに空気が流通するから、揮散性薬剤４を気中にスムーズに放散できる。
【００１７】
第３の発明によれば、薬剤収納容器３を容器支持部５に支持したままで、第１位置と第２位置に回転できるから、その操作が容易で、使用状態、休止状態とする操作がより簡単である。
【００１８】
第４の発明によれば、薬剤収納容器３を第１位置と第２位置に回転する角度が小さく、薬剤収納容器３を素早く第１位置、第２位置に回転することができる。
【００１９】
第５の発明によれば、薬剤収納容器３を容器支持部５に支持したままで、第１位置と第２位置にスライドできるから、その操作が容易で、使用状態、休止状態とする操作がより簡単である。
【００２０】
【発明の実施の形態】
図１に示すように、装置本体１と、この装置本体１に設けた送風機２と、薬剤収納容器３と、この薬剤収納容器３内に収納した揮散性薬剤４で送風式薬剤放散装置を構成している。
前記装置本体１は容器支持部５を有する。
【００２１】
前記薬剤収納容器３は、前記容器支持部５に周方向に回転して第１位置と第２位置に支持可能で、その表面３ａに第１通気部６が形成され、裏面３ｂに第２通気部７が形成してある。
前記送風機２はファン２ａとモータ２ｂを備え、そのモータ２ｂでファン２ａを駆動することで容器支持部５に空気が流通するようにしてある。
【００２２】
図１に示すように、薬剤収納容器３を第１位置で支持した状態で、送風機２を駆動すると第１通気部６と第２通気部７とに空気が流通し、使用状態となる。
図２に示すように、薬剤収納容器３を第２位置で支持すると、第１・第２通気部６，７が閉塞されて休止状態となる。
【００２３】
このようであるから、薬剤収納容器３を第１位置で支持し、送風機２を駆動することで、薬剤収納容器３内に空気が流通して揮散性薬剤４を気中に放出できる。
また、薬剤収納容器３を第２位置で支持することで、薬剤収納容器３内部が気中と遮断され、その内部に収納した揮散性薬剤４が自然に気中に放出されることを防止できる。
【００２４】
次に、各部の具体形状の一例を説明するが、これに限ることはない。
前記装置本体１は図１と図３に示すように、一側縦壁１０と他側縦壁１１と中間縦壁１２と一端縦壁１３と他端縦壁１４と上壁１５と下壁１６で中空部１ａと上向き凹部１ｂを有する箱形状で、その上向き凹部１ｂを容器支持部５としている。つまり、容器支持部５は、対向した一側面５ａ、他側面５ｂと周面５ｃで上面が開口した箱形状で、他側面５ｂが一側面５ａよりも上方に突出している。
前記中間縦壁１２の下部寄りに第１開口部１７を形成し、この第１開口部１７で中空部１ａと上向き凹部１ｂを連通すると共に、上壁１５に第２開口部１８を形成し、前記中空部１ａに送風機２を設け、送風機２を駆動することで容器支持部５に空気が流通するようにしてある。
【００２５】
前記薬剤収納容器３は図４（ａ），（ｂ）に示すように、表面板２０と裏面板２１と周面板２２で断面円形の中空形状で、図１に示すように、その中空部に揮散性薬剤４が収納してある。
前記表面板２０（前記表面３ａ）に第１通気部６が形成され、前記裏面板２１（前記裏面３ｂ）に第２通気部７が形成してある。
【００２６】
前記第１通気部６と第２通気部７は上下方向に位置がずれている。例えば、第１通気部６が上方位置に形成され、第２通気部７が下方位置に形成してある。
そして、薬剤収納容器３を図１に示すように第１位置で支持すると第１通気部６が一側縦壁１０（一側面５ａ）よりも上方に突出して大気に連通し、第１開口部１７と第２通気部７が連通する。
前記薬剤収納容器３を周方向に回転、例えば１８０度回転して図２に示すように第２位置で支持すると、第１通気部６が下方位置となり、一側縦壁１０（一側面５ａ）で閉塞され、第２通気部７が上方位置となり、中間縦壁１２（他側面５ｂ）の上部寄りで閉塞される。
【００２７】
この実施の形態では、図３に示すように装置本体１の上壁１５がほぼ半円形状で他側縦板１１、中間縦板１２の上部寄りはほぼ半円形状であり、第１開口部１７はほぼ半円形の下開口縁１７ａと直線状の上開口縁１７ｂでほぼ下向きの半円形状である。
また、薬剤収納容器３の表面板２０、裏面板２１は円板状で、周面板２２は円筒形状である。その表面板２０のほぼ上半分に、第１通気部６がほぼ上向き半円形状で、前記裏面板２１のほぼ下半分に、第２通気部７がほぼ下向き半円形状、つまり前述の第１開口部１７の外周形状と同一形状に形成してある。
【００２８】
このようであるから、第１通気部６、第２通気部７の開口面積が表面板２０、裏面板２１（表面３ａ、裏面３ｂ）の面積のほぼ半分で、空気をスムーズに流通することができる。
この実施の形態では、第１・第２通気部６，７をほぼ半円形スリット状の穴６ａ，７ａを同心状に複数形成してある。
これは、揮散性薬剤４を粒状、好ましくは球状の薬剤含浸体４ａに含浸させ、その薬剤含浸体４ａを直接薬剤収納体３内部に収納したので、その薬剤含浸体４ａがこぼれ落ちないようにするためであって、前述の薬剤含浸体４ａを網袋などの通気性袋に入れて収納した場合には第１・第２通気部６，７を連続した半円形状とすることができる。前述の粒状の薬剤含浸体４ａの他に、貫通孔を有するハニカム状、格子状など構造体を薬剤含浸体として用いることができる。
【００２９】
図３に示すように、前記装置本体１の容器支持部５の両端開口縁（周面５ｃの両端部）、つまり一端縦壁１３、他端縦壁１４の上端面に凹部１９がそれぞれ形成してある。
図４に示すように、前記薬剤収納容器３の周面板２２に一対の支持片２３が設けてある。
この一対の支持片２３が各凹部１９に嵌め込みされることで、薬剤収納容器３を第１位置、第２位置で安定して支持することができるようにしてある。
【００３０】
図５に示すように、薬剤収納容器３の表面板２０の上下中央部に横片２４を径方向に向けて設け、この横片２４を一側縦板１０の上端面１０ａ（一側面５ａの上端部）に接して第１位置、第２位置で安定して支持するようにしても良い。
【００３１】
この実施の形態では、装置本体１の底壁１６は二重壁形状で、電池収納室１ｃを形成している。
この電池収納室１ｃに電池８が収納され、その電池８で送風機２のモータ２ｂを駆動してファン２ａを回転するようにしてある。
また、送風機２のファン２ａはシロッコファンであり、第１開口部１７を吸い込み口、第２開口部１８を吐き出し口としてあるが、ファン２ａをプロペラファンとした場合には第１開口部１７を吐き出し口、第２開口部１８を吸い込み口としても良い。
【００３２】
また、薬剤収納容器３の表面板２０における第１通気部６の周囲及び裏面板２１における第２通気部７の周囲に図４に仮想線で示すようにシール材２５を設け、図２に示すように第２位置で支持した場合には第１通気部６、第２通気部７が確実に閉塞されるようにしても良い。
【００３３】
このようであるから、前記支持片２３、横片２４を持って薬剤収納容器３を持ち上げて容器支持部５から取り出し、周方向に１８０度回転して再び容器支持部５に支持することで、薬剤収納容器３を第１位置、第２位置とすることができ、その操作が容易である。
【００３４】
次に、本発明の第２の実施の形態を説明する。この実施の形態は薬剤収納容器３を容器支持部５に第１位置と第２位置に回転自在に取付けたことが、第１の実施の形態と相違し、他の構成は第１の実施の形態と同様である。
図６に示すように、容器支持部５は、薬剤収納容器３を回転自在に支承する形状とする。
例えば、装置本体１を一側縦壁１０と他側縦壁１１と一端縦壁１３と他端縦壁１４と上壁１５と下壁１６で中空部１ａを有する箱形状で、その一側縦壁１０に第１開口部１７を有すると共に、その一側縦壁１０における第１開口部１７の下開口縁１７ａに沿って半円筒形板３０を一体的に設け、この半円筒形板３０に半円板３１を一体的に設けて底面が半円形の容器支持部５を形成する。つまり、半円板３１が一側面５ａで、一側縦壁１０が他側面５ｂで、半円筒形板３０が周面５ｃである。
この半円形板３１の上端面３１ａの径方向中央部に半円形の凹部３２を形成する。
【００３５】
図７に示すように、薬剤収納容器３の周面板２２を半円筒形板３０に回転自在に接する円筒形状とし、表面板２０の中心部に、前記凹部３２に嵌まり込む支軸３３を設けることで、薬剤収納容器３が容器支持部５に回転自在に取付けできるようにする。
前記周面板２２に、ストッパとして突片３４を設け、この突片３４が半円筒形板３０の一端上面３０ａに当接すると第１位置、他端上面３０ｂに当接すると第２位置となるようにする。
【００３６】
このようにすることで、薬剤収納容器３を回転するだけで第１位置、第２位置とすることができる。
【００３７】
前記ストッパは、図８に示すように表面板２０の径方向一側寄りに設けた突出片３５とし、この突出片３５が半円形板３１の上端面３１ａに当接することで第１位置、第２位置となるようにしても良い。
【００３８】
図９に示すように、半円形板３１の上端面３１ａの径方向中央部に突片３６を設け、この突片３６と一側縦壁１０とに支承穴３７を相対向して形成する。
図１０に示すように、薬剤収納容器３の表面板２０、裏面板２１における中央部に回転支承部、例えば突起３８を設け、この突起３８を前記支承穴３７に回転自在に嵌合することで、薬剤収納容器３を容器支持部５に回転自在に支承しても良い。この場合には周面板２２が半円筒形板３０の内面と離れていても良い。
【００３９】
この実施の形態では、周面板２２を指でこするようにして薬剤収納容器３を回転するので、その周面板２２を摩擦抵抗大とする、例えば図１０に示すように凹凸２２ａを有するものとする。
【００４０】
また、図１０に示すように、周面板２２に一対の円孤状突起部２９を設け、第１位置、第２位置とした時にこの一対の円孤状突起部２９が半円筒形板３０の両端内面３０ｃ（つまり、容器支持部５の両端開口縁）に圧接して周面板２２と半円筒形板３０の両端内面３０ｃとの間を気密するようにしても良い。
このようにすることで、薬剤収納容器３を第１位置として使用する時に、その薬剤収納容器３の内部に効率良く空気が流通し、第２位置として休止する時には薬剤収納容器３の内部に空気が流通することを確実に防止し、揮散性薬剤４が自然に気中に放出されることを確実に防止できる。
【００４１】
以上の各実施の形態では薬剤収納容器３を１８０度回転して第１位置、第２位置としたが、１８０度よりも小さな角度だけ回転することで第１位置、第２位置とすることもできる。
例えば、図１１に示すように容器支持部５の両側面を薬剤収納容器３の表面３ａ、裏面３ｂよりも大きくする。例えば、半円筒形板３０に円板４０を形成して容器支持部５の一側面５ａとすると共に、装置本体１の一側縦板１０の円板４０と対向した部分を容器支持部５の他側面５ｂとする。
前記円板４０に、その中心部から外周部に向けて第１開口４１を周方向に間隔を置いて放射状に複数形成する。前記一側縦壁１０の円板４０と対向した部分にも、その中心部から外周部に向けて第２開口４２を周方向に間隔を置いて放射状に複数形成して前述の第１開口部１７とする。
この第１開口４１と第２開口４２は周方向に位置がずれている。
【００４２】
図１２（ａ）、（ｂ）に示すように、薬剤収納容器３の表面板２０、裏面板２１に、その中央部から外周部に向けて複数の第３・第４開口４３，４４を周方向に間隔を置いて放射状にそれぞれ形成して第１通気部６、第２通気部７とする。
この第３開口４３と第４開口４４は周方向に位置がずれている。そして、前記第１開口４１と第３開口４３が一致した時に第２開口４２と第４開口４４が一致して前述の第１位置となる。
前記第１開口４１と第３開口４３が一致しない時には第２開口４２と第４開口４４が一致せずに第３・第４開口４３，４４が閉塞されて前述の第２位置となる。
【００４３】
この実施の形態では、第１〜第４開口４１〜４４は３０度の開口幅で３０度間隔で位置がずれ、６コ形成してある。
よって、薬剤収納容器３を３０度回転することで第１位置又は第２位置となる。
【００４４】
前述の各実施の形態では、薬剤収納容器３を回転して第１位置、第２位置としたが、スライドして第１位置、第２位置としても良い。
例えば、図１３と図１４に示すように容器支持部５に薬剤収納容器３を第１位置と第２位置に亘ってスライド可能に支持する。
容器支持部５の一側面５ａと他側面５ｂにスリット状の第１開口５１と第２開口５２を上下方向に間隔を置いてそれぞれ形成し、第２開口５２で第１開口部１７とする。
薬剤収納容器３を表面３ａと裏面３ｂにスリット状の第３開口５３と第４開口５４を上下方向に間隔を置いてそれぞれ形成し、第１通気部６、第２通気部７とする。
【００４５】
そして、図１３に示す第１位置の時には第１開口５１と第３開口５３、第２開口５２と第４開口５４が連通し、図１４に示す第２位置の時には第３・第４開口５３，５４がそれぞれ閉塞されるようにする。
【００４６】
また、図示は省略するが薬剤収納容器３を左右方向にスライドして第１位置と第２位置としても良い。
【００４７】
本発明に用いる揮散性薬剤４としては、常温、送風などの条件で揮散する殺虫剤、忌避剤、害虫成長制御剤、芳香消臭剤、消臭剤、防カビ剤、防菌剤などが挙げられる。
【００４８】
【発明の効果】
請求項１に係る発明によれば、薬剤収納容器３を第１位置で支持すると共に、送風機２を駆動することで、薬剤収納容器３内部に空気が流通するから、揮散性薬剤４を気中に放散できる。
また、薬剤収納容器３を第２位置で支持すると、その第１・第２通気部６，７が閉塞されるので、休止期間中に揮散性薬剤４が気中に自然に放出されることを防止できる。
また、薬剤収納容器３を第１位置と第２位置に支持すれば良く、他の部材を設ける必要がないから、コストの安い送風式薬剤放散装置であると共に、簡単な操作で使用状態、休止状態にできる。
【００４９】
請求項２に係る発明によれば、薬剤収納容器３の第１通気部６、第２通気部７の開口面積が大きく、その薬剤収納容器３内部にスムーズに空気が流通するから、揮散性薬剤４を気中にスムーズに放散できる。
【００５０】
請求項３に係る発明によれば、薬剤収納容器３を容器支持部５に支持したままで、第１位置と第２位置に回転できるから、その操作が容易で、使用状態、休止状態とする操作がより簡単である。
【００５１】
請求項４に係る発明によれば、薬剤収納容器３を第１位置と第２位置に回転する角度が小さく、薬剤収納容器３を素早く第１位置、第２位置に回転することができる。
【００５２】
請求項５に係る発明によれば、薬剤収納容器３を容器支持部５に支持したままで、第１位置と第２位置にスライドできるから、その操作が容易で、使用状態、休止状態とする操作がより簡単である。
【図面の簡単な説明】
【図１】本発明の第１の実施の形態を示す使用状態の全体断面図である。
【図２】本発明の第１の実施の形態を示す休止状態の全体断面図である。
【図３】装置本体の斜視図である。
【図４】薬剤収納容器の斜視図である。
【図５】薬剤収納容器の他の例を示す斜視図である。
【図６】本発明の第２の実施の形態を示す装置本体の斜視図である。
【図７】薬剤収納容器の斜視図である。
【図８】薬剤収納容器の他の例を示す斜視図である。
【図９】本発明の第３の実施の形態を示す装置本体の斜視図である。
【図１０】薬剤収納容器の斜視図である。
【図１１】本発明の第４の実施の形態を示す装置本体の斜視図である。
【図１２】薬剤収納容器の正面図である。
【図１３】本発明の第５の実施の形態を示す使用状態の断面図である。
【図１４】本発明の第５の実施の形態を示す休止状態の断面図である。
【符号の説明】
１…装置本体、２…送風機、２ａ…ファン、２ｂ…モータ、３…薬剤収納容器、３ａ…表面、３ｂ…裏面、４…揮散性薬剤、５…容器支持部、６…第１通気部、７…第２通気部、４１…第１開口、４２…第２開口、４３…第３開口、４４…第４開口。
【図１】
2004313637.tif 000003
【図２】
2004313637.tif 000004
【図３】
2004313637.tif 000005
【図４】
2004313637.tif 000006
【図５】
2004313637.tif 000007
【図６】
2004313637.tif 000008
【図７】
2004313637.tif 000009
【図８】
2004313637.tif 000010
【図９】
2004313637.tif 000011
【図１０】
2004313637.tif 000012
【図１１】
2004313637.tif 000013
【図１２】
2004313637.tif 000014
【図１３】
2004313637.tif 000015
【図１４】
2004313637.tif 000016